【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
直列接続された複数のリチウム単電池で構成されるリチウム単電池群が更に複数個直列に接続されて構成される第１リチウム単電池群接続体と、
直列接続された複数のリチウム単電池で構成されるリチウム単電池群が更に複数個直列に接続されて構成される第２リチウム単電池群接続体と、
前記第１リチウム単電池群接続体の低電位側と前記第２リチウム単電池群接続体の高電位側とを電気的に接続するためのスイッチと、
前記第１リチウム単電池群接続体を構成する前記リチウム単電池群にそれぞれ対応付けて設けられた複数の集積回路で構成される第１集積回路グループと、
前記第２リチウム単電池群接続体を構成する前記リチウム単電池群にそれぞれ対応付けて設けられた複数の集積回路で構成される第２集積回路グループと、
を有しており、
前記第１集積回路グループと第２集積回路グループとを構成する各集積回路はそれぞれ、対応付けられたリチウム単電池群が有する各リチウム単電池の端子電圧を受けるための複数の電圧検知端子と情報を送信あるいは受信するための送受信端子とを有しており、
上記第１集積回路グループを構成する各集積回路の電圧検知端子は、前記第１リチウム単電池群接続体を構成する前記リチウム単電池群の対応するリチウム単電池群を構成している各リチウム単電池の端子と電気的に接続されており、
上記第２集積回路グループを構成する各集積回路の電圧検知端子は、前記第２リチウム単電池群接続体を構成する前記リチウム単電池群の対応するリチウム単電池群を構成している各リチウム単電池の端子と電気的に接続されており、
上記第１集積回路グループを構成する各集積回路の送信端子は、該集積回路が対応しているリチウム単電池群の一方方向における隣のリチウム単電池群に対応する集積回路の受信端子と電気的に接続されており、
上記第１集積回路グループを構成する各集積回路の受信端子は、該集積回路が対応しているリチウム単電池群の他方方向における隣のリチウム単電池群に対応する集積回路の送信端子と電気的に接続されており、
さらに、
上記第２集積回路グループを構成する各集積回路の送信端子は、該集積回路が対応しているリチウム単電池群の一方方向における隣のリチウム単電池群に対応する集積回路の受信端子と電気的に接続されており、
上記第２集積回路グループを構成する各集積回路の受信端子は、該集積回路が対応しているリチウム単電池群の他方方向における隣のリチウム単電池群に対応する集積回路の送信端子と電気的に接続されており、
上記スイッチによって直列接続される、第１リチウム単電池群接続体のリチウム単電池群と第２リチウム単電池群接続体のリチウム単電池群とにそれぞれ対応付けられた集積回路の送信端子あるいは受信端子はフォトカプラを介して他の電源系で動作するコントローラと信号伝送を行うことを特徴とするリチウム電池電源システム。
【請求項２】
直列接続された複数のリチウム単電池で構成されるリチウム単電池群が更に複数個直列に接続されて構成される第１リチウム単電池群接続体と、
直列接続された複数のリチウム単電池で構成されるリチウム単電池群が更に複数個直列に接続されて構成される第２リチウム単電池群接続体と、
前記第１リチウム単電池群接続体と前記第２リチウム単電池群接続体とを電気的に直列に接続するためのスイッチと、
前記第１リチウム単電池群接続体を構成する前記リチウム単電池群にそれぞれ対応付けて設けられた複数の集積回路で構成される第１集積回路グループと、
前記第２リチウム単電池群接続体を構成する前記リチウム単電池群にそれぞれ対応付けて設けられた複数の集積回路で構成される第２集積回路グループと、
を有しており、
前記第１集積回路グループと第２集積回路グループとを構成する各集積回路はそれぞれ、対応付けられたリチウム単電池群を構成する各リチウム単電池の端子と電気的に接続される複数の電圧検知端子と情報を送信あるいは受信するための送受信端子とを有しており、
上記第１集積回路グループを構成する各集積回路の送受信端子は、該集積回路が対応しているリチウム単電池群の電位の順に直列に接続されることにより直列の伝送路を形成し、
上記第２集積回路グループを構成する各集積回路の送受信端子は、該集積回路が対応しているリチウム単電池群の電位の順に直列に接続されることにより直列の伝送路を形成し、
上記スイッチによって直列接続される、第１リチウム単電池群接続体のリチウム単電池群と第２リチウム単電池群接続体のリチウム単電池群とにそれぞれ対応付けられた集積回路の送信端子あるいは受信端子はフォトカプラを介して他の電源系で動作するコントローラと信号伝送を行うことを特徴とするリチウム電池電源システム。
【請求項３】
直列接続された複数のリチウム単電池で構成されるリチウム単電池群が更に複数個直列に接続されて構成される第１リチウム単電池群接続体と、
直列接続された複数のリチウム単電池で構成されるリチウム単電池群が更に複数個直列に接続されて構成される第２リチウム単電池群接続体と、
前記第１リチウム単電池群接続体と前記第２リチウム単電池群接続体とを電気的に直列に接続するための、スイッチとヒューズとを直列接続した構成を有するディスコネクタと、
前記第１リチウム単電池群接続体を構成する前記リチウム単電池群にそれぞれ対応付けて設けられた複数の集積回路で構成される第１集積回路グループと、
前記第２リチウム単電池群接続体を構成する前記リチウム単電池群にそれぞれ対応付けて設けられた複数の集積回路で構成される第２集積回路グループと、
を有しており、
前記第１集積回路グループと第２集積回路グループとを構成する各集積回路はそれぞれ、対応付けられたリチウム単電池群を構成する各リチウム単電池の端子と電気的に接続される複数の電圧検知端子と情報を送信あるいは受信するための送受信端子とを有しており、
上記第１集積回路グループを構成する各集積回路の送受信端子は、該集積回路が対応しているリチウム単電池群の電位の順に直列に接続されることにより直列の伝送路を形成し、
上記第２集積回路グループを構成する各集積回路の送受信端子は、該集積回路が対応しているリチウム単電池群の電位の順に直列に接続されることにより直列の伝送路を形成し、
上記スイッチとヒューズとを有する直列回路によって直列接続される、第１のリチウム単電池群接続体のリチウム単電池群と第２のリチウム単電池群接続体のリチウム単電池群とにそれぞれ対応付けられた集積回路の送信端子あるいは受信端子はそれぞれフォトカプラを介して他の電源系で動作するコントローラと信号伝送を行うことを特徴とするリチウム電池電源システム。
【請求項４】
直列接続された複数のリチウム単電池で構成されるリチウム単電池群が更に複数個直列に接続されて構成される第１リチウム単電池群接続体と、
直列接続された複数のリチウム単電池で構成されるリチウム単電池群が更に複数個直列に接続されて構成される第２リチウム単電池群接続体と、
前記第１リチウム単電池群接続体と前記第２リチウム単電池群接続体とを電気的に直列に接続するための、スイッチとヒューズとを直列接続した構成を有するディスコネクタと、
前記第１リチウム単電池群接続体を構成する前記リチウム単電池群にそれぞれ対応付けて設けられた複数の集積回路で構成される第１集積回路グループと、
前記第２リチウム単電池群接続体を構成する前記リチウム単電池群にそれぞれ対応付けて設けられた複数の集積回路で構成される第２集積回路グループと、
を有しており、
前記第１集積回路グループと第２集積回路グループとを構成する各集積回路はそれぞれ、対応付けられたリチウム単電池群を構成する各リチウム単電池の端子と電気的に接続される複数の電圧検知端子と情報を送信あるいは受信するための送受信端子とを有しており、
上記第１集積回路グループを構成する各集積回路の送受信端子は、該集積回路が対応しているリチウム単電池群の電位の順に直列に接続されることにより直列の伝送路を形成し、
上記第２集積回路グループを構成する各集積回路の送受信端子は、該集積回路が対応しているリチウム単電池群の電位の順に直列に接続されることにより直列の伝送路を形成し、
上記スイッチとヒューズとを有する直列回路によって直列接続される、第１リチウム単電池群接続体のリチウム単電池群と第２リチウム単電池群接続体のリチウム単電池群とにそれぞれ対応付けられた集積回路の送信端子あるいは受信端子はそれぞれフォトカプラを介して他の電源系で動作するコントローラと信号伝送を行うことを特徴とするリチウム電池電源システム。
【請求項５】
電源容器と、
直流低電圧電源で動作し、前記電源容器内に収納されたバッテリコントローラと、
前記電源容器内に配置された第１と第２リレーと、
前記電源容器内に配置された開閉スイッチと、
前記電源容器内に配置され、直列接続された複数個の単電池からなる第１リチウム単電池群接続体と、
前記電源容器内に配置され、直列接続された複数個の単電池からなる第２リチウム単電池群接続体と、
前記第１リチウム単電池群接続体を構成する複数個の単電池の各端子電圧を検出すると共に上記第１リチウム単電池群接続体を構成する複数個の単電池の各充放電状態を制御するための複数の集積回路で構成される第１集積回路グループと、
前記第２リチウム単電池群接続体を構成する複数個の単電池の端子電圧を検出すると共に上記第２リチウム単電池群接続体を構成する複数個の単電池の各充放電状態を制御するための複数の集積回路で構成される第２集積回路グループと、
前記電源容器内に配置され、上記第１および第２リチウム単電池群接続体を構成する各単電池の蓄積電力を放電するための複数の放電抵抗と、
を有しており、
前記第１リチウム単電池群接続体の一端は前記第１リレーと接続され、前記第１リチウム単電池群接続体の他端は前記開閉スイッチと接続され、
前記第２リチウム単電池群接続体の一端は前記開閉スイッチと接続され、前記第２リチウム単電池群接続体の他端は前記第２リレーと接続され、
前記第１リチウム単電池群接続体は、直列接続された上記複数のリチウム単電池で構成されるリチウム単電池群を更に複数個直列に接続した構成を成しており、
前記第２リチウム単電池群接続体は、直列接続された上記複数のリチウム単電池で構成されるリチウム単電池群を更に複数個直列に接続した構成を成しており、
前記第１集積回路グループの前記各集積回路は、前記第１リチウム単電池群接続体を構成するリチウム単電池群に対応付けられて設けられており、
前記第２集積回路グループの前記各集積回路は、前記第２リチウム単電池群接続体を構成するリチウム単電池群に対応付けられて設けられており、
前記第１集積回路グループと第２集積回路グループとを構成する前記各集積回路はそれぞれ、対応付けられたリチウム単電池群を構成する各リチウム単電池の端子と電気的に接続される複数の電圧検知端子と情報を送信あるいは受信するための送受信端子とを有しており、
上記第１集積回路グループを構成する各集積回路の送受信端子は、該集積回路が対応しているリチウム単電池群の電位の順に直列に接続されることにより直列の伝送路を形成し、
上記第２集積回路グループを構成する各集積回路の送受信端子は、該集積回路が対応しているリチウム単電池群の電位の順に直列に接続されることにより直列の伝送路を形成し、
上記開閉スイッチによって直列接続される、第１リチウム単電池群接続体のリチウム単電池群と第２リチウム単電池群接続体のリチウム単電池群とにそれぞれ対応付けられた集積回路の送信端子あるいは受信端子はフォトカプラを介して前記バッテリコントローラと信号伝送を行い、
前記第１と第２リレーとを介して、前記直流低電圧電源より高電圧の直流電力を供給することを特徴とするリチウム電池電源システム。
【請求項６】
電源容器と、
前記電源容器内に形成された冷却通路と、
前記冷却通路に冷却風を流すために前記電源容器内に設けられたファンと、
直流低電圧電源で動作し、前記電源容器内に収納されたバッテリコントローラと、
前記電源容器内に配置された第１と第２リレーと、
前記電源容器内に配置された開閉スイッチと、
前記電源容器内に配置され、直列接続された複数個の単電池からなる第１リチウム単電池群接続体と、
前記電源容器内に配置され、直列接続された複数個の単電池からなる第２リチウム単電池群接続体と、
前記第１リチウム単電池群接続体を構成する複数個の単電池の端子電圧を検出すると共に上記第１リチウム単電池群接続体を構成する複数個の単電池の各充放電状態を制御するための複数の集積回路で構成される第１集積回路グループと、
前記第２リチウム単電池群接続体を構成する複数個の単電池の端子電圧を検出すると共に上記第２リチウム単電池群接続体を構成する複数個の単電池の各充放電状態を制御するための複数の集積回路で構成される第２集積回路グループと、
前記電源容器内に配置され、上記第１および第２のリチウム単電池群接続体を構成する各単電池の蓄積電力を放電するための複数の放電抵抗と、
を有しており、
前記第１リチウム単電池群接続体の一端は前記第１リレーと接続され、前記第１リチウム単電池群接続体の他端は前記開閉スイッチと接続され、
前記第２リチウム単電池群接続体の一端は前記開閉スイッチと接続され、前記第２リチウム単電池群接続体の他端は前記第２リレーと接続され、
前記第１リチウム単電池群接続体は、直列接続された上記複数のリチウム単電池で構成されるリチウム単電池群を更に複数個直列に接続した構成を成しており、
前記第２リチウム単電池群接続体は、直列接続された上記複数のリチウム単電池で構成されるリチウム単電池群を更に複数個直列に接続した構成を成しており、
前記第１集積回路グループの前記各集積回路は、前記第１リチウム単電池群接続体を構成するリチウム単電池群に対応付けられて設けられており、
前記第２集積回路グループの前記各集積回路は、前記第２リチウム単電池群接続体を構成するリチウム単電池群に対応付けられて設けられており、
前記第１集積回路グループと第２集積回路グループとを構成する前記各集積回路はそれぞれ、対応付けられたリチウム単電池群を構成する各リチウム単電池の端子と電気的に接続される複数の電圧検知端子と情報を送信あるいは受信するための送受信端子とを有しており、
上記第１集積回路グループを構成する各集積回路の送受信端子は、該集積回路が対応しているリチウム単電池群の電位の順に直列に接続されることにより直列接続された第１直列伝送路を形成し、
上記第２集積回路グループを構成する各集積回路の送受信端子は、該集積回路が対応しているリチウム単電池群の電位の順に直列に接続されることにより直列接続された第２直列伝送路を形成し、
前記第１直列伝送路と前記第２直列伝送路とはそれぞれフォトカプラを介して前記バッテリコントローラと独立に信号伝送を行い、
前記第１と第２リレーとを介して、前記直流低電圧電源より高電圧の直流電力を供給することを特徴とするリチウム電池電源システム。
【手続補正２】
【補正対象書類名】明細書
【補正対象項目名】発明の名称
【補正方法】変更
【補正の内容】
【発明の名称】リチウム電池電源システム
【手続補正３】
【補正対象書類名】明細書
【補正対象項目名】０００１
【補正方法】変更
【補正の内容】
【０００１】
本発明はリチウム電池電源システムに係り、特に、複数個のリチウム単電池を直列接続したリチウム電池電源システムに関する。
【手続補正４】
【補正対象書類名】明細書
【補正対象項目名】０００５
【補正方法】変更
【補正の内容】
【０００５】
本発明の課題は、組立性などの生産性の優れたリチウム電池電源システムを提供することである。また、以下に説明する実施の形態では上記課題の他に種々の課題を解決できるが、これらの課題および解決手段は実施の形態の中で述べる。
【手続補正５】
【補正対象書類名】明細書
【補正対象項目名】０００７
【補正方法】変更
【補正の内容】
【０００７】
本発明によれば、リチウム電池電源システムの生産性が向上する。